(57)【要約】【課題】保留状態への移行が容易なテレビ電話機を提供する。【解決手段】テレビ電話機１は、（ａ）に示すように、カメラ３ａにて撮影した映像を通信相手先に送信し、通信相手先から送信される映像を表示装置３ｂの表示パネルに表示する。（ｂ）に示すように、カメラ３ａが手によって覆われると、テレビ電話機１は、カメラ３ａからの映像を解析し、映像が暗くなったことを検出して、保留モードに移行する。ユーザがカメラを手で覆うことによって保留状態に移行できるので、保留状態への移行が容易なテレビ電話機１を提供できる。【選択図】図１
2005277780.tif 000002
【特許請求の範囲】
【請求項１】
撮像装置を用いて撮影した映像を通話先端末に送信するテレビ電話機において、
上記撮像装置を用いた撮影が、テレビ電話機本体の使用者によって妨害されているか否かを、上記撮像装置を用いて撮影した上記映像の明るさに基づいて判定する判定部と、
上記判定部の判定に応じて、予め設定した動作を実行する設定動作実行部とを含んでいることを特徴とするテレビ電話機。
【請求項２】
上記判定部は、上記映像の明るさとして上記映像の輝度の平均値を用いて、上記平均値が予め設定した閾値未満となっているときに、上記撮像装置を用いた撮影がテレビ電話機本体の使用者によって妨害されていると判定することを特徴とする請求項１に記載のテレビ電話機。
【請求項３】
上記判定部は、映像の明るさに基づく判断基準に応じた結果が所定時間継続した場合に、上記撮像装置を用いた撮影がテレビ電話機本体の使用者によって妨害されているか否かを判定することを特徴とする請求項１に記載のテレビ電話機。
【請求項４】
上記設定動作実行部は、上記判定部が妨害されていると判定しているときに、予め設定した保留動作を実行することを特徴とする請求項１に記載のテレビ電話機。
【請求項５】
上記設定動作実行部は、上記判定部が妨害されていると判定しているときに、上記撮像装置を用いて撮影した映像の通話先端末への送信を停止する停止動作を実行することを特徴とする請求項１に記載のテレビ電話機。
【請求項６】
上記設定動作実行部は、上記判定部が妨害されていると判定しているときに、予め設定した保留画像または動画を送信する送信動作を実行することを特徴とする請求項１に記載のテレビ電話機。
【請求項７】
上記設定動作実行部は、上記判定部が妨害されていると判定しているときに、予め設定した保留画像または動画を、テレビ電話機本体の表示画面に表示させることを特徴とする請求項６に記載のテレビ電話機。
【請求項８】
請求項１ないし７のいずれか１項に記載のテレビ電話機を含んでいるテレビ電話システム。
【発明の詳細な説明】
【技術分野】
【０００１】
本発明は、テレビ電話機およびテレビ電話システムに関するものである。
【背景技術】
【０００２】
一般的なテレビ電話機には、通話者を撮影するカメラと音声を拾うマイクとが送信用に備えられ、受信した映像を表示する表示装置と受信した音声を再生するスピーカとが受信用に備えられている。
【０００３】
テレビ電話を用いて通話をする際には、通常、通話者自身の映像を通話相手先に送信する。こちら側のテレビ電話装置のカメラでは、通話者および通話者の背後までが撮影され、相手先のテレビ電話装置の表示装置には、通話者と通話者の背後の映像が表示される。
【０００４】
ここで、テレビ電話を用いる場合には、映像と音声とがともに相手先に送信されるため、音声のみを送信する通常の電話を用いる場合と比較して、通話者の意図しない内容の情報を相手先に送信してしまう可能性が高くなる。すなわち、例えば音声のみの通話では、通話者の意図しない人や物が通話者の背後に存在しても、大きな音を出さない限り相手側に情報は伝わらない。このため、例えば通話中に環境の変化が生じたとしても大きな問題となりにくい。一方、テレビ電話の通話では、通話者に加えて通話者の背後の映像まで送信するため、通話者が意図しない映像をも送出してしまう可能性がある。
【０００５】
従来の一般的なテレビ電話システムにおいては、このような状況に対応するために、通信を保留する保留機能を用いるようになっていた。この保留機能は、テレビ電話システムの該当操作ボタンを押すことにより作動する。
【０００６】
なお、通話中に撮影対象がカメラの撮影範囲から外れたとき、通話相手に見られたくない画像の送信を防止する構成の携帯テレビ電話機が知られている（特許文献１参照）。
【特許文献１】特開２００１−１８６４８７号公報（公開日：２００１年７月６日）
【発明の開示】
【発明が解決しようとする課題】
【０００７】
しかしながら、従来の構成では、意図しない映像の送出を防止するためには、保留機能用の操作ボタンを押す必要があるので、とっさの場合に操作ボタンを押すことができず、映像の送信を停止することができない虞がある。
【０００８】
すなわち、遅延無く保留機能を動作させるには、保留機能用の操作ボタンを押すためにテレビ電話機の操作に習熟している必要があるが、もし習熟が不十分であり、保留機能を使い慣れていない場合には、急に環境の変化が発生した際に、操作の手順が分からずに、とっさに映像の送信を停止することができない虞がある。また、急な環境の変化が生じた場合に、あわてている操作者がすぐさま保留機能を実行することができずに、意図しない映像を相手側に送信してしまうことも考えられる。
【０００９】
また、上記特許文献１の構成は、意図せずにカメラの方向が変化した場合を想定したものであり、テレビ電話機のユーザの意思に応じて保留機能を用いるものではない。また、過去の入力画像の保持を行うためのメモリや、比較の処理、制御などが複雑であるため、コストを要するという問題もある。
【００１０】
本発明は、上記の問題点に鑑みてなされたものであり、その目的は、とっさの場合であっても操作を行って保留機能を用いることのできるテレビ電話機およびテレビ電話システムを提供することにある。
【課題を解決するための手段】
【００１１】
本発明に係るテレビ電話機は、上記課題を解決するために、撮像装置を用いて撮影した映像を通話先端末に送信するテレビ電話機において、上記撮像装置を用いた撮影が、テレビ電話機本体の使用者によって妨害されているか否かを、上記撮像装置を用いて撮影した上記映像の明るさに基づいて判定する判定部と、上記判定部の判定に応じて、予め設定した動作を実行する設定動作実行部とを含んでいることを特徴としている。
【００１２】
テレビ電話機を用いて通話する際には、テレビ電話機は、通信相手先の通話先端末と通信接続を確立する。テレビ電話機から、撮像装置を用いて撮影した映像データを通話先端末に送信する。また、集音装置を用いて集音した音声データを通話先端末に送信する。通話先端末からは、通信相手先の映像データと音声データとが送信され、テレビ電話機にて受信して再生する。
【００１３】
テレビ電話機の判定部は、撮像装置を用いて撮影した映像の明るさに基づいて、撮影がテレビ電話機の使用者によって妨害されているか否かを判定する。ここで、撮影の妨害とは、例えばテレビ電話機の使用者によって、撮像装置の撮像部が手などで塞がれて、撮影ができなくなった状態を意味する。
【００１４】
判定部は、例えば映像の輝度を用いて、輝度の平均値と予め定めた閾値とを比較する。この場合、輝度の平均値が閾値未満となった場合に、撮影が妨害されているものと判定する。これに限るものではなく、平均値以外の特性値を用いてもよい。
【００１５】
設定動作実行部は、判定部の判定に応じて、予め設定した動作を実行する。例えば、撮影が妨害されていると判定されたとき、保留動作を実行して、テレビ電話機を保留状態とする。
【００１６】
したがって、テレビ電話機の通話中に、使用者が撮像装置を手で塞げば、判定部が妨害と判定して設定動作実行部によりテレビ電話機は保留状態に移行する。このように、撮像装置を手で塞ぐという直感的な動作によって保留状態に移行することができるので、とっさの場合であっても操作を行って保留機能を用いることのできるテレビ電話機を提供できる。
【００１７】
なお、上述のテレビ電話機を含むテレビ電話システムを、通話中にカメラにより入力された映像を送出する機能と、受信した映像の表示を行う機能を持つ、テレビ電話システムにおいて、入力画像から操作者のカメラを覆う操作を検知し、その結果によって、設定された機能を実行する構成である、と表現することもできる。
【００１８】
本発明に係るテレビ電話機は、上記構成において、上記判定部は、上記映像の明るさとして上記映像の輝度の平均値を用いて、上記平均値が予め設定した閾値未満となっているときに、上記撮像装置を用いた撮影がテレビ電話機本体の使用者によって妨害されていると判定することを特徴としている。
【００１９】
輝度の平均値を用いるので、簡単な構成で判定部を実現できる。過去の入力画像を保持するためのメモリが不要である。
【００２０】
なお、上述のテレビ電話機を含むテレビ電話システムを、カメラを覆う操作の検出方法として、入力画像の輝度の平均と閾値を比較する構成である、と表現することもできる。
【００２１】
本発明に係るテレビ電話機は、上記構成において、上記判定部は、映像の明るさに基づく判断基準に応じた結果が所定時間継続した場合に、上記撮像装置を用いた撮影がテレビ電話機本体の使用者によって妨害されているか否かを判定することを特徴としている。
【００２２】
判定部は、映像の明るさに基づく判断基準を用いて、この判断基準に応じた結果を判別する。判定部は、この結果が所定時間継続し、維持された場合には、この結果を判定結果とする。判定部は、判定結果を設定動作実行部に出力する。したがって、ごく短い時間での変動のような、ノイズに応じた誤動作を防止できる。
【００２３】
なお、上述のテレビ電話機を含むテレビ電話システムを、カメラへの操作の継続時間を計測し、この計測結果に応じて機能の実行を行う構成である、と表現することもできる。また、テレビ電話機の上記判定部は、上記映像の明るさに基づく仮の判定結果が所定時間継続した場合に、上記撮像装置を用いた撮影がテレビ電話機本体の使用者によって妨害されているか否かの判定結果を上記設定動作実行部に出力する構成である、と表現することもできる。
【００２４】
本発明に係るテレビ電話機は、上記構成において、上記設定動作実行部は、上記判定部が妨害されていると判定しているときに、予め設定した保留動作を実行することを特徴としている。
【００２５】
ここで、保留動作とは、テレビ電話機を保留状態にすることである。テレビ電話機は、保留状態においては通信を保留し、テレビ電話機の通信接続を保持したまま、撮像装置による映像データ、集音装置による音声データなどの伝送を停止する。
【００２６】
テレビ電話機の設定動作実行部は、妨害されているときに保留動作を実行し、妨害がないときには保留動作を行わない。したがって、例えば撮像装置を手で覆うなどの妨害に応じて保留動作を行うテレビ電話機を提供できる。
【００２７】
なお、上述のテレビ電話機を含むテレビ電話システムを、カメラが覆い隠される操作を検出したときに、設定された機能として保留動作を行う構成である、と表現することもできる。また、テレビ電話システムを、カメラが塞がれた状態からの開放を検知して、保留状態を解除する構成である、と表現することもできる。
【００２８】
本発明に係るテレビ電話機は、上記構成において、上記設定動作実行部は、上記判定部が妨害されていると判定しているときに、上記撮像装置を用いて撮影した映像の通話先端末への送信を停止する停止動作を実行することを特徴としている。
【００２９】
テレビ電話機の設定動作実行部は、妨害されているときには停止動作を実行して映像の送信を停止し、妨害がないときには停止動作は行わず、映像の送信を行う。したがって、例えば撮像装置を手で覆うなどの妨害に応じて停止動作を行うので、このテレビ電話機を用いれば、とっさの場合であっても意図しない映像を相手側に送信してしまうことがない。
【００３０】
なお、上述のテレビ電話機を含むテレビ電話システムを、カメラが覆い隠される操作を検出したときに、設定された機能として、映像の送出のみ自動的に停止する構成である、と表現することもできる。また、テレビ電話システムを、カメラが塞がれた状態からの開放を検知して、映像の送出を再開する構成である、と表現することもできる。
【００３１】
本発明に係るテレビ電話機は、上記構成において、上記設定動作実行部は、上記判定部が妨害されていると判定しているときに、予め設定した保留画像または動画を送信する送信動作を実行することを特徴としている。
【００３２】
テレビ電話機の設定動作実行部は、妨害されているときには予め設定した保留画像または動画を送信するので、とっさの場合であっても意図しない映像の代わりに保留画像または動画を送信できる。また、保留状態であることを通信相手先に認識させることができる。
【００３３】
なお、上述のテレビ電話機を含むテレビ電話システムを、カメラが覆い隠される操作を検出したときに、設定された機能として、あらかじめ設定された画像や、動画を送出する構成である、と表現することもできる。
【００３４】
本発明に係るテレビ電話機は、上記構成において、上記設定動作実行部は、上記判定部が妨害されていると判定しているときに、予め設定した保留画像または動画を、テレビ電話機本体の表示画面に表示させることを特徴としている。
【００３５】
この構成であれば、テレビ電話機の表示画面に保留画像などが表示されるので、保留状態に移行したことを使用者が確認できる。
【００３６】
本発明に係るテレビ電話システムは、上述のいずれかのテレビ電話機を含んでいる構成である。
【００３７】
このテレビ電話システムは、上述のように保留動作などへの移行が容易なテレビ電話機を含んでいるので、ユーザにとって扱い易いテレビ電話システムを提供できる。
【発明の効果】
【００３８】
本発明に係るテレビ電話機は、撮像装置を用いた撮影が、テレビ電話機本体の使用者によって妨害されているか否かを、上記撮像装置を用いて撮影した上記映像の明るさに基づいて判定する判定部と、上記判定部の判定に応じて、予め設定した動作を実行する設定動作実行部とを含んでいる構成である。
【００３９】
それゆえ、使用者が撮像装置を手で塞げば、判定部が妨害と判定して設定動作実行部によりテレビ電話機は保留状態に移行するので、とっさの場合であっても操作を行って保留機能を用いることのできるテレビ電話機を提供できる。
【発明を実施するための最良の形態】
【００４０】
本発明の一実施形態について図１から図５に基づいて説明すると以下の通りである。
【００４１】
本実施形態のテレビ電話機１は、図２に示すように、制御部（設定動作実行部）２、映像部３、音声部４、映像処理部５、映像メモリ５ａ、音声処理部６、判定部７、操作部８、通信部９、および記憶部（設定動作実行部）１０を備えている。
【００４２】
本実施形態のテレビ電話機１は、図１（ａ）に示すような携帯型のテレビ電話機である。このテレビ電話機１は、テレビ電話機能を用いない通常の携帯電話としても機能する。
【００４３】
テレビ電話機１は、通話を行う際には、通信部９を介して通信相手先の端末であるテレビ電話機２０と接続される。相手先との接続は、いわゆる電話線を介した接続に限るものではなく、例えばインターネットを介した接続であってもよい。テレビ電話機１のユーザは、テレビ電話機２０のユーザとテレビ電話による通話を行うことができる。テレビ電話機１とテレビ電話機２０とは、テレビ電話システムを構成する。また、テレビ電話機１は、図示しない他の複数のテレビ電話機に対して同時に接続することもできる。
【００４４】
制御部２は、テレビ電話機１の各部を制御して、テレビ電話機１の全体的な制御を行うものである。制御部２は、テレビ電話機１の各部を制御して電話機能を実行する電話部として機能する。
【００４５】
映像部３は、カメラ（撮像装置）３ａと表示装置３ｂとを含んでいる。カメラ３ａは、映像を撮影するための撮影装置である。カメラ３ａを用いて撮影した映像を、映像処理部５、制御部２、通信部９を介してテレビ電話機２０に送信する。また、表示装置３ｂは、映像を表示するための装置である。表示装置３ｂには、例えば図１（ａ）に示すように、テレビ電話機２０から送信される映像データを再生表示する。
【００４６】
音声部４は、マイク４ａとスピーカ４ｂとを含んでいる。マイク４ａは、音声を電気信号に変換する装置である。マイク４ａにて集音した音声データを音声処理部６、制御部２、通信部９を介してテレビ電話機２０に送信する。また、スピーカ４ｂは、音声データを再生出力するための装置である。スピーカ４ｂからは、テレビ電話機２０から送信される音声データが出力される。
【００４７】
映像処理部５は、入力される映像信号に所定の画像処理（映像処理）を行う。映像メモリ５ａは、映像処理部５の用いる一時記憶用のメモリである。音声処理部６は、入力される音声信号に所定の処理を行う。
【００４８】
より詳細には、映像処理部５は、カメラ３ａにて撮影した映像データを圧縮符号化する。圧縮符号化には任意のアルゴリズムを用いることができる。圧縮符号化された映像データは、制御部２、通信部９を介してテレビ電話機２０に送信される。テレビ電話機２０にて、図示しない映像処理部にて復号され、図示しない表示装置に表示される。また、テレビ電話機２０から送信される圧縮符号化されたデータを、映像処理部５にて復号して、表示装置３ｂに表示させる。
【００４９】
また、音声処理部６は、マイク４ａにて集音した音声データを、映像処理部５と同様のアルゴリズムで圧縮符号化する。また、テレビ電話機２０から送信される圧縮符号化されたデータを、音声処理部６にて復号して、スピーカ４ｂから出力する。
【００５０】
なお、映像処理部５および音声処理部６は一体となったＡＶコーデック部であってもよく、映像データと音声データとを一体としてＡＶコーデック部が圧縮符号化、復号する構成であってもよい。
【００５１】
また、本実施形態の映像処理部５は、判定部７の用いるデータの抽出を行う。より詳細には、映像処理部５は、所定のタイミングごとに、映像信号から一画面分の画像データを抽出し、判定部７へと出力する。
【００５２】
判定部７は、テレビ電話機１のカメラ３ａによる撮影が、ユーザによって妨害されているか否かを判定する。判定部７は、テレビ電話機１のカメラ３ａが、ユーザの手などによって覆われたか否かを判定する。より詳細には、判定部７は、カメラ３ａにて撮影した映像データから、映像の明るさが暗くなったことを検出することによって、カメラ３ａが手などで覆われたことを判定する。このために、判定部７は、入力画像の輝度の平均と閾値を比較する。
【００５３】
判定部７には、映像処理部５にて抽出した一画面分の画像データが、所定のタイミングごとに入力される。判定部７は、入力された画像データを解析して、映像の明るさが暗くなったか否かを判定する。映像が暗くなった場合には、カメラ３ａが手で覆われたものと判断して、その旨の検出信号を制御部２に出力する。また、映像が暗くなった後に再び明るくなった場合には、カメラ３ａを手で覆う状態が終了したものと判断して、保留状態を解除する旨の検出信号を制御部２に出力する。制御部２は、判定部７からの検出信号を受信すると、記憶部１０に格納された図示しない設定データに基づいて、予め設定した動作を実行する設定動作実行部として機能する。
【００５４】
より詳細には、判定部７は、以下のようにして、画像データから輝度情報を抽出し、判定を行う。
【００５５】
ここで、図４に基づいて、入力画像データから判定を行う例について説明する。図４に示すように、入力画像のサイズは、横がdx画素（ピクセル,pixels)、縦がdy画素とする。各画素における輝度をb＿y,x(by,xまたはby,xと記載する。)で表す。本実施形態では、画像全体の性質を表す特性値として、画像データの平均輝度を用いることとする。平均輝度は以下の式で与えられる。
【００５６】
【数１】
2005277780.tif 000003
【００５７】
判定部７は、入力される画像データに基づいて、上記の式を用いて平均輝度を計算する。判定部７は、平均輝度が予め設定した閾値α未満のとき、映像の明るさが暗くなったものと判定する。判定部７は、テレビ電話装置１のユーザによってカメラ３ａが覆われているものとして、その旨の検出信号を制御部２に出力する。また、平均輝度が一旦閾値α未満となった後に再び閾値α以上となった場合には、カメラ３ａを手で覆っている状態が終了したものとして、保留状態を解除する旨の検出信号を制御部２に出力する。
【００５８】
なお、閾値αは、例えば最大輝度の10％程度の値に設定する。この閾値αの値は記憶部１０に記憶され、所定のタイミングで判定部７が読み込みを行う。
【００５９】
図２に戻って、テレビ電話機１の説明をする。操作部８は、テレビ電話機１のユーザインタフェースである。操作部８には、例えば図示しない電源ボタン、電話番号を入力するためのテンキー、通話を切断するための切りボタン、また保留動作に移行させるための保留ボタンなどが含まれる。
【００６０】
通信部９は、テレビ電話機１の通信インタフェースである。
【００６１】
記憶部１０は、テレビ電話機１の記憶装置である。本実施形態の記憶部１０には、保留状態の際に行う動作のための動作設定、および保留状態を解除する際に行う動作のための動作設定が予め記憶されている。また、記憶部１０には、保留状態の際に通信相手先に送信する保留画像が格納されている。
【００６２】
なお、本実施形態のテレビ電話機１においては、制御部２はハードウェアによって実現されているが、これに限るものではなく、制御部２をプログラムとＣＰＵ(Central Processing Unit)とを用いて実現することもできる。すなわち、テレビ電話機１は、記録媒体としての記憶部１０にプログラムを格納し、ＣＰＵがそのプログラムを読み込んで実行することによって、制御部２を実現する構成であってもよい。また、制御部２のうち、設定動作実行部としての機能のみを、プログラムとして実現してもよい。また、判定部７についても、制御部２と同様である。判定部７を、記録媒体に記録したプログラムとＣＰＵとによって実現してもよい。
【００６３】
上記構成のテレビ電話機１においてテレビ電話機２０と通話を行う際には、カメラ３ａから入力された画像が映像処理部５で圧縮され、同様にマイク４ａから入力されて音声処理部６で圧縮された音声とともに、通信部９から通信相手先のテレビ電話機２０に送信される。
【００６４】
また、テレビ電話機２０から送信される相手側画像は、映像処理部５で伸張処理され、表示装置３ｂに表示される。同様に、相手側音声は音声処理部６で伸張処理され、スピーカ４ｂなどの音声出力装置から出力される。
【００６５】
ここで、テレビ電話機１を用いて通話中の使用者が、例えば背後の状況などに異変を感じて、保留機能を作動させる場合について説明する。この場合、使用者は、図１（ａ）に示すテレビ電話機１のカメラ３ａを、図１（ｂ）に示すように手で覆う。これによって、以下で説明するように、テレビ電話機１はカメラ３ａが覆われたものと判定して保留状態に移行する。
【００６６】
すなわち、テレビ電話機１からテレビ電話機２０に送信する映像は、カメラ３ａから映像処理部５、制御部２、通信部９を介して送信されるのみではなく、映像処理部５から判定部７へも送られる。本実施形態においては、上述のように、判定部７には、映像処理部５にて抽出した一画面分の画像データが、所定のタイミングごとに入力される。上述のように、映像が暗くなった場合にはカメラ３ａが手で覆われたものと判断して、判定部７はその旨の検出信号を制御部２に出力する。通知を受けた制御部２は、保留状態へと移行し、カメラ３ａで撮影した映像データの送出を停止し、保留状態へと移行する。以上のようにして、テレビ電話機１を用いるユーザは、直感的な操作で簡単に保留動作を実行することができる。
【００６７】
また、本実施形態の保留状態においては、制御部２は、カメラ３ａで撮影した映像データの代わりに、予め定めた保留状態を示す映像（保留画像、保留動画）を通信相手先に送出する。この保留画像は、記憶部１０に予め格納されている。保留画像をユーザが任意に設定できるようにしてもよい。また、制御部２が、保留状態においては、テレビ電話機１の表示装置３ｂに、通信相手先のテレビ電話機２０から送信された映像データではなく、図１（ｂ）に示すように保留画像を表示させるようにしてもよい。これによって、ユーザは、保留状態に移行していることを直ぐに認識できる。
【００６８】
テレビ電話機１における動作の一例について、図３に基づいて説明する。
【００６９】
テレビ電話機１においてテレビ電話による通話を開始すると、Ｓ１においてカメラ３ａが撮影を行い、制御部２が映像データを通信相手先のテレビ電話機２０へと送出する。また、カメラ３ａにて撮影された映像データは、映像処理部５を介して判定部７に画像データとして入力される。
【００７０】
Ｓ２において、判定部７は、入力画像データの平均輝度を計算する。
【００７１】
Ｓ３にて、判定部７は、計算した平均輝度と予め定めた閾値との比較を行う。平均輝度が閾値よりも大きい（閾値以上の）場合にはＳ４に進み、平均輝度が閾値よりも小さい（閾値未満の）場合にはＳ８の保留状態へと進む。
【００７２】
Ｓ４においては、カメラ３ａで撮影して通信相手先へ送信するための映像データを映像処理部５において圧縮符号化し、Ｓ５に進む。
【００７３】
Ｓ５においては、制御部２の指示に基づき、映像処理部５にて圧縮した映像データを、制御部２、通信部９を介して通信相手先へと送出し、Ｓ６に進む。
【００７４】
Ｓ６においては、制御部２が、操作部５の図示しない保留ボタンが押されたか否かを検出する。保留ボタンが押された場合にはＳ８に進み、保留ボタンが押されていない場合にはＳ７に進む。
【００７５】
Ｓ７においては、制御部２は、接続を切断して通話を終了するために操作部８に設けられた切りボタンが押されたか否かを検出する。切りボタンが押された場合にはＳ１０に進み、切りボタンが押されていない場合にはＳ１に進む。
【００７６】
Ｓ１０においては、通信相手先との接続を切断（呼を切断）して、処理を終了する。
【００７７】
一方、Ｓ３において平均輝度が閾値より小さい場合、またはＳ６において保留ボタンが押されたことを検出した場合のＳ８においては、テレビ電話機１の制御部２は、保留状態へと移行し、Ｓ９へ進む。
【００７８】
Ｓ９においては、保留が解除されたか否かを判別し、保留が解除されない場合にはＳ９を繰り返し、保留が解除された場合にはＳ１に戻る。
【００７９】
以上に説明した動作によって、テレビ電話機１の通話中に、カメラ３ａを覆うことによって保留状態へと移行させることができる。
【００８０】
次に、図５に基づいて、テレビ電話機１における動作の他の一例について説明する。ここでは、一定時間にわたってカメラ３ａが覆われたときに保留状態へと移行する例について説明する。この場合、保留状態においてカメラ３ａが開放されたことを検知すると、テレビ電話機１は保留を中止し、映像データの送出を再開する。
【００８１】
まず、テレビ電話機１においてテレビ電話による通話を開始すると、制御部２は、Ｓ１１において、テレビ電話機の現在のモードを通常状態に設定する(mode==通常)。また、カメラ３ａに対する操作時間を計測するためのカウンタ count＿open, count＿closeを、それぞれ０に初期化する。このカウンタを用いて、判断基準に応じた結果が所定時間継続したかどうかを判別できる。なお、カウンタの上限を定める上限値 open＿point, close＿pointには、それぞれ適切な値が予め設定され、これら上限値は記憶部１０に格納されているものとする。
【００８２】
Ｓ１２においてカメラ３ａが撮影を行い、制御部２が映像データを通信相手先のテレビ電話機２０へと送出する。また、カメラ３ａにて撮影された映像データは、映像処理部５を介して判定部７に画像データとして入力される。
【００８３】
Ｓ１３において、判定部７は、入力画像データの平均輝度を計算する。
【００８４】
Ｓ１４にて、判定部７は、計算した平均輝度と予め定めた閾値との比較を行う。平均輝度が閾値よりも大きい（閾値以上の）場合にはＳ１５に進み、平均輝度が閾値よりも小さい（閾値未満の）場合にはＳ１８に進む。
【００８５】
Ｓ１５においては、判定部７は、カウンタcount＿closeを０に設定してクリアした上で、カウンタcount＿openの値を１だけ増加させるようにインクリメントし、Ｓ１６に進む。
【００８６】
Ｓ１６においては、モードが保留状態であり、かつ、カウンタ count＿openが上限値 open＿pointを超えているか否かという条件を判定部７が判定する。条件が満たされている場合にはＳ１７に進み、条件が満たされていない場合にはＳ２１に進む。
【００８７】
Ｓ１６において条件が満たされている場合のＳ１７では、保留状態となった後に所定時間以上にわたってカメラ３ａの画像が明るくなっているので、カメラ３ａを覆う手が除かれたものとして、判定部７がモードを通常状態に設定する(mode==通常)。判定部７はその旨の検出信号を制御部２に送信する。その後、Ｓ２１に進む。
【００８８】
一方、Ｓ１４において、平均輝度が閾値よりも小さいと判別された場合のＳ１８では、判定部７は、カウンタcount＿openを０に設定した上で、カウンタcount＿closeをインクリメントし、Ｓ１９に進む。
【００８９】
Ｓ１９においては、モードが通常状態であり、かつ、カウンタ count＿closeが上限値 close＿pointを超えているか否かという条件を判定部７が判定する。条件が満たされている場合にはＳ２０に進み、条件が満たされていない場合にはＳ２１に進む。
【００９０】
Ｓ１９において条件が満たされている場合のＳ２０では、通常状態となった後に所定時間以上にわたってカメラ３ａの画像が暗くなっているので、カメラ３ａが手で覆われたものとして、判定部７がモードを保留状態に設定する(mode==保留)。判定部７はその旨の検出信号を制御部２に送信する。その後、Ｓ２１に進む。
【００９１】
Ｓ２１においては、現在のモードがどのように設定されているかを制御部２が判別する。本実施形態においては、制御部２は、判定部７からの検出信号に応じて現在のモードを判別する。モードが通常状態(mode==通常)である場合にはＳ２２に進み、モードが保留状態(mode==保留)である場合にはＳ２４に進む。
【００９２】
Ｓ２２においては、映像処理部５において、カメラ３ａで撮影して通信相手先へ送信するための映像データを圧縮符号化し、Ｓ２３に進む。
【００９３】
Ｓ２３では、制御部２の指示に基づき、映像処理部５にて圧縮した映像データを、制御部２、通信部９を介して通信相手先へと送出し、Ｓ２５に進む。
【００９４】
一方、Ｓ２１において保留状態であると判別された場合には、Ｓ２４において、制御部２が、記憶部１０に予め格納しておいた保留画像を、通信相手先であるテレビ電話機２０に送信する。その後Ｓ２５に進む。
【００９５】
Ｓ２５においては、制御部２は、接続を切断して通話を終了するために操作部８に設けられた切りボタンが押されたか否かを検出する。切りボタンが押された場合には接続を切断して処理を終了し、切りボタンが押されていない場合にはＳ１２に戻る。
【００９６】
以上に説明した動作によって、テレビ電話機１の通話中に、所定時間以上にわたってカメラ３ａを覆うことによって保留状態へと移行させることができる。
【００９７】
なお、上述の図５の例においては、明るさを判定する閾値として、一つの閾値のみをＳ１４にて用いていたが、これに限るものではない。例えば、通常状態から保留状態へと移行する際の閾値と、保留状態から通常状態へと移行する際の閾値とは、異なる値としてもよい。
【００９８】
以上のように、本発明は、テレビ電話システムの技術に関するものであり、より詳細には、テレビ電話システムの保留機能に関するものである。本件は、テレビ電話に搭載されたカメラに関する技術をターゲットとする。上述のように、テレビ電話の通話中の入力画像の解析を行うことにより、操作者のカメラを覆う動作を検出し、設定された機能を実行するシステムを提供する。これにより、テレビ電話に慣れていない操作者でも、映像を隠すためにカメラを覆うという直感的な操作で、遅延無く保留機能を起動することができる。したがって、簡単に素早く保留状態へと移行でき、不都合な映像を誤って送信してしまうリスクを防ぐことができる。
【００９９】
上述のテレビ電話機１は、テレビ電話機における保留状態を実現するための保留方法であって、カメラに対する入力画像の明るさの変化を検出することによって、カメラが塞がれたことを検出して保留動作を開始する、テレビ電話機における保留方法を実行している、と表現することもできる。
【０１００】
なお、テレビ電話機１には、上述した保留状態への移行を停止する機能を設けてもよい。この構成であれば、例えば通常は保留状態への移行を可能としておき、特別な場合には、例えば操作部８を用いて移行停止を設定し、誤って保留状態へ移行しないようにできる。
【０１０１】
また、テレビ電話機１には、カメラ３ａの近傍にセンサを設けてもよい。カメラ３ａを覆うようにユーザの手が配置されると、センサはユーザの手を検出する。テレビ電話機１が、センサの検出に応じて保留状態に移行する。カメラ３ａを覆う手が解除されると、テレビ電話機１は、センサの検出に応じて通常状態に移行する。センサは、接触式であっても、非接触式であってもよい。センサは、例えば温度、湿度などを検出する。
【０１０２】
なお、上述の実施の形態においては、輝度の平均値を用いて検出を行った構成について説明しているが、これに限るものではない。平均値以外の特性値（例えば最頻値、最大値）を用いた検出も可能である。この場合には、平均値を用いた検出と比べて、より精密な検出が可能になる。
【０１０３】
また、上述の実施形態においては、カメラからの画像情報のうち、輝度を用いて、映像の明るさが暗くなったことを検出しているが、これに限るものではない。例えば、映像のうち、色の分布などから、カメラが手で覆われたことを検出することもできる。
【０１０４】
また、上述の実施の形態においては、検出する時点での画像情報を用いて輝度を得て判定を行っているが、これに限るものではない。例えば前回検出した平均輝度など、以前の輝度の情報も用いる構成であってもよい。また、時系列の平均輝度から判断する方法の他にも、輝度の分布や、画像の輪郭線から検出を行う方法も考えられる。
【０１０５】
ここで、入力画像からカメラを塞いだ状態を検出する手法自体は簡単であり、例えば画像が暗くなったことを検出するなど、さまざまな方法を考えることができる。このように、「塞ぐという動作で保留を行う」という構成にポイントがある。すなわち、画像情報を用いてカメラを塞いだ状態を検出する方法としては、以下の方法、あるいはこれらを組み合わせて検出する方法が考えられる。すなわち、例えば(1)入力画像の明るさを用いる方法、(2)入力画像の平滑度を用いる方法、(3)入力画像の時系列の変化量を用いる方法（変化が大きいときを検出）がある。また、(2)(3)の例として、画像の輝度、色度のスペクトル分析を行い、周波数帯域が狭いときに、画像が平滑であるとする判断方法が考えられる。また、(3)の例として、入力画像のフレーム間の差分が大きいときに変化が大きいとする判定条件が考えられる。これらの条件を組み合わせれば、より精度の高い検出が可能となる。
【０１０６】
また、上述の実施の形態においては、テレビ電話を行うためのテレビ電話機に、判定部と設定動作実行部とを設けた構成について説明したが、これに限るものではない。例えば、データを双方向にやりとりするテレビ電話ではなく、画像の送信のみを行う画像送信装置に、上述と同様の判定部と設定動作実行部とを設けてもよい。画像送信装置に撮像装置を接続する。判定部は、撮像装置を用いた撮影が使用者によって妨害されているか否かを判定する。設定動作実行部は、判定部の判定に応じて、予め設定した動作を実行する。この画像送信装置を、記録媒体に格納したプログラムをコンピュータに読取りさせ、実行させることによって実現してもよい。また、画像送信装置が撮像装置と一体の構成であってもよい。
【０１０７】
上述の具体的な実施形態または実施例は、あくまでも、本発明の技術内容を明らかにするものであって、本発明はそのような具体例にのみ限定して狭義に解釈されるべきものではなく、特許請求の範囲に示した範囲で種々の変更が可能であり、変更した形態、および実施の形態にそれぞれ開示された技術的手段を適宜組み合わせて得られる実施の形態についても、本発明の技術的範囲に含まれる。
【産業上の利用可能性】
【０１０８】
本発明に係るテレビ電話機は、直感的かつ容易な操作によって保留モードに移行することができるので、例えば多くのユーザに用いられる携帯型のテレビ電話機に適用できる。
【図面の簡単な説明】
【０１０９】
【図１】（ａ）は本発明に係るテレビ電話機の模式的な斜視図であり、（ｂ）は（ａ）とは異なる状態を示す上記テレビ電話機の斜視図である。
【図２】上記テレビ電話機および通話先端末の概略構成を示すブロック図である。
【図３】上記テレビ電話機における動作の一例を示すフローチャートである。
【図４】上記テレビ電話機における検出動作を説明するために入力画像を示す図である。
【図５】上記テレビ電話機における動作の他の一例を示すフローチャートである。
【符号の説明】
【０１１０】
１、２０                            テレビ電話機
２                                  制御部（設定動作実行部）
３                                  映像部
３ａ                                カメラ（撮像装置）
３ｂ                                表示装置
７                                  判定部
８                                  操作部
１０                                記憶部（設定動作実行部）
【図１】
2005277780.tif 000004
【図２】
2005277780.tif 000005
【図３】
2005277780.tif 000006
【図４】
2005277780.tif 000007
【図５】
2005277780.tif 000008